(57)【要約】【課題】一枚の転写箔中にインク層とホログラム蒸着層などの蒸着層の２種類以上の装飾層を同時に設けることは非常に手間がかかり量産化は困難である。【解決手段】部分蒸着転写箔１は、ベースフィルム３の上に剥離層５を介して絵柄や文字などを表現するためパターン化されたインク層１１を印刷法により設けた後に、インク層１１のパターンの開口部１２（文字部分）を熱圧着によりホログラム蒸着層１５で覆うことで得られる。部分蒸着転写箔１を転写すると、文字部分にはホログラム色が表出し、それ以外の転写領域にはメタリック色が表出する。【選択図】          図１
2004351722.tif 000002
【特許請求の範囲】
【請求項１】
ベースフィルムと、前記ベースフィルムの上に形成された剥離層と、前記剥離層の上に形成されたインク層と、前記インク層の存在しない開口部と、前記開口部を覆うように前記インク層の上に接着された蒸着層とを備え、前記インク層と前記蒸着層とによって装飾層が構成されていることを特徴とする部分蒸着転写箔。
【請求項２】
請求項１に記載した部分蒸着転写箔において、開口部のパターンによって絵柄や文字が表現されていることを特徴とする部分蒸着転写箔。
【請求項３】
請求項１または２に記載した部分蒸着転写箔において、蒸着層はホログラム蒸着層または高輝度の金属蒸着層であることを特徴とする部分蒸着転写箔。
【請求項４】
請求項１に記載した部分蒸着転写箔において、更に、インク層及び蒸着層で構成されている装飾層の上に接着層を形成したことを特徴とする部分蒸着転写箔。
【請求項５】
請求項１に記載した部分蒸着転写箔の製造方法において、
ベースフィルムの上に、剥離層を形成する工程と、
前記剥離層の上に、開口部によって画定されるパターンのインク層を印刷法により形成する工程と、
蒸着層の上に熱圧着層が形成された蒸着フィルムを準備する工程と、
熱圧着により前記開口部を前記蒸着層で覆う工程とを含むことを特徴とする製造方法。
【発明の詳細な説明】
【０００１】
【発明の属する技術分野】
本発明は転写箔に係り、特に部分蒸着転写箔に関するものである。
【０００２】
【従来の技術】
プラスチック成形品などの工業製品の加飾技術には色々なものがあるが、その中で特に転写箔を利用した方法は、加飾対象面が曲面であっても比較的容易に加飾できることから多用されている。
転写箔は、ベースフィルムの上に剥離層を設け、その上に装飾層を設けたものであり、一般の印刷転写箔はインクを用いて絵柄、文字などを表現することで装飾層（インク層）を形成している。転写箔を成形品に転写すると、装飾層によって成形品の表面が加飾される。
【０００３】
蒸着転写箔は、剥離層の上に装飾層として蒸着層を設けたものである。
また、ホログラム転写箔は、剥離層の上に装飾層として、ホログラム蒸着層を設けたものであり、更に、該蒸着層の上に必要に応じて透明又は半透明のカラーをのせる。
成形品の表面を金や銀などの高い輝度の金属で加飾したい場合や、ホログラムで加飾したい場合には、上記の蒸着を利用した転写箔を使用している。
【０００４】
【発明が解決しようとする課題】
上記した２種類の転写箔は、印刷と蒸着という全く異なる方法により製造する。また、ホログラムを付与したい場合には予めホログラム形成層を設ける必要がある。
従って、マスクなどを使用して一枚の転写箔中に上記した３種類の転写箔の装飾層を同時に形成するためには非常に工程数の多い時間のかかる作業を必要とするので、量産化は困難であり、現実的には不可能であると言ってもよい。従って、そのような転写箔の市販品は今まで見たことがない。
しかしながら、一回の転写作業により成形品の表面に所望の加飾面を付与できれば、加飾作業の効率は飛躍的にアップする。
【０００５】
それ故、本発明は、上記課題を解決する、簡単に、即ち量産化可能に、一枚の転写箔中に装飾層としてのインク層と蒸着層を同時に形成する方法、即ち部分蒸着転写箔の製造方法と、その方法によって製造された新規な部分蒸着転写箔を提供することを目的とする。
【０００６】
【課題を解決するための手段】
蒸着層は、その蒸着という工程上、絵柄やデザインのパターンを精度高く形成するのは困難である。しかしながら、本発明者は、印刷層で形成したパターンの開口部に蒸着層を備えた蒸着フィルムを使用して蒸着層を形成することで、結果として絵柄や文字などのデザイン領域を蒸着層で表現することができること、及び、既存の印刷箔の製造装置と熱圧着装置をそのまま利用することで量産可能な体制で一枚の転写箔中に装飾層としてのインク層と蒸着層を同時に形成することができることを見出し、本発明を想到するに至った。
【０００７】
請求項１の発明は、ベースフィルムと、前記ベースフィルムの上に形成された剥離層と、前記剥離層の上に形成されたインク層と、前記インク層の存在しない開口部と、前記開口部を覆うように前記インク層の上に接着された蒸着層とを備え、前記インク層と前記蒸着層とによって装飾層が構成されていることを特徴とする部分蒸着転写箔である。
【０００８】
請求項２の発明は、請求項１に記載した部分蒸着転写箔において、開口部のパターンによって絵柄や文字が表現されていることを特徴とする部分蒸着転写箔である。
【０００９】
請求項３の発明は、請求項１または２に記載した部分蒸着転写箔において、蒸着層はホログラム蒸着層または高輝度の金属蒸着層であることを特徴とする部分蒸着転写箔である。
【００１０】
請求項４の発明は、請求項１に記載した部分蒸着転写箔において、更に、インク層及び蒸着層で構成されている装飾層の上に接着層を形成したことを特徴とする部分蒸着転写箔である。
【００１１】
請求項５の発明は、請求項１に記載した部分蒸着転写箔の製造方法において、ベースフィルムの上に、剥離層を形成する工程と、前記剥離層の上に、開口部によって画定されるパターンのインク層を印刷法により形成する工程と、蒸着層の上に熱圧着層が形成された蒸着フィルムを準備する工程と、熱圧着により前記開口部を前記蒸着層で覆う工程とを含むことを特徴とする製造方法である。
【００１２】
【発明の実施の形態】
以下、本発明の実施の形態を図面に従って説明する。
１は部分蒸着転写箔を示し、この部分蒸着転写箔１はプラスチック成形品である携帯電話の外表面の加飾用のものである。なお、図１は部分蒸着転写箔１の表面図であり、図２は裏面図である。図３は部分蒸着転写箔１の一部の拡大断面図である。
【００１３】
部分蒸着転写箔１は、ベースフィルム３と、ベースフィルム３の上に形成された剥離層５と、剥離層５の上に形成された装飾層７と、装飾層７の上に形成された接着層９とによって構成されている。
装飾層７は、２種類の層、即ち、金属等の顔料を含むインク層１１とホログラム蒸着層１５とからなり、剥離層５の上でパターンを構成している。具体的には、各文字部分（Ｍ）Ｌ、ｃ、ｄ、Ｎなどを画定する輪郭の外側領域（Ａ）にはインク層１１が形成されており、各文字部分（Ｍ）はインク層１１の開口部１２によって画定されている。そして、インク層１１の上に、文字部分（Ｍ）に対応する領域を覆うようにホログラム蒸着層１５が形成されている。
【００１４】
従って、インク層１１の存在しない開口部１２にはホログラム蒸着層１５が入り込んでいる。なお、図３では理解の便宜のために各層の厚みを誇張して描かれている。
部分蒸着転写箔１を表面、即ちベースフィルム３側からみると、文字部分（Ｍ）のＬ、ｃ、ｄ、Ｐ、ａ、ｎ、ｅ、ｌ、Ｎ、Ｉ、Ｔ、Ｔ、Ｏにはホログラム蒸着層１５のホログラム色が表出し、外側領域（Ａ）にはインク層１１のメタリック色が表出している。
【００１５】
部分蒸着転写箔１の製造方法を、図４及び図５に従って説明する。
ベースフィルム３を準備する。ベースフィルム３はポリエステルなどの高強度で耐熱性の良いプラスチックによって構成されている。準備したベースフィルム３の上に全面にわたって剥離層５を形成する。剥離層５はシリコーン樹脂などの剥離性のよい樹脂で構成されている。剥離層５は慣用の印刷法や塗工法により形成する。
【００１６】
剥離層５の上に、インク層１１を印刷法によってパターン状に形成する。パターンはインク層１１の存在する領域とインク層１１の存在しない多数の開口部（ヌケ部分）１２とによって構成されている。多数の開口部１２のエッジによって、各文字部分（Ｍ）の輪郭が画定されている。
インク層１１は、メタリック効果を付与するために、所望の粒径のアルミニウム合金の粉末を顔料として用い、シルクスクリーン印刷、グラビア印刷、オフセット印刷などにより形成する。
インク層１１の厚みは、好ましくは、０．５〜２００μｍである。
【００１７】
ホログラム蒸着層１５は、ベースフィルム１７の表面に物理的に凹凸１９を形成してホログラム形成層とし、その上に蒸着法により形成したものである。更に、ホログラム蒸着層１５の上に熱圧着層２１が形成されている。即ち、熱圧着層２１とホログラム蒸着層１５とベースフィルム１７とにより、ホログラムフィルム１３が構成されている。
ベースフィルム１７はポリエステルフィルムなどの透明性の良い樹脂で構成されている。ベースフィルム１７の上に慣用の金属蒸着機を用いて所望の厚さの金属、この実施の形態では銀のホログラム蒸着層１５を形成する。なお、蒸着法は、物理的蒸着であれば、真空蒸着法、スパッタリング法などいずれの方法でもよい。
【００１８】
ホログラム蒸着層１５の上には、熱圧着層２１を慣用の塗工方法により形成する。熱圧着層２１は、塩化ビニル樹脂などの熱可塑性で且つ熱圧着後に透明となるもので構成されている。
ベースフィルム１７の厚みは、好ましくは１０〜５０μｍであり、ホログラム蒸着層１５の厚みは、好ましくは、２００〜８００Åであり、熱圧着層２１の厚みは、好ましくは、０．５〜１０μｍである。
【００１９】
ホログラム蒸着層１５を備えたホログラムフィルム１３は通常は蒸着作業の効率を考慮してなるべく大きく製造する。従って、手作業又は機械的作業により所定の大きさに切断する。この実施の形態では、各文字Ｌ、ｃなどは小さいので、「ＬｃｄＰａｎｅｌ」と「ＮＩＴＴＯ」に対応した多数の開口部１２をそれぞれ一枚のホログラムフィルム１３のホログラム蒸着層１５で覆うことができる大きさに調整している。
そして、熱圧着によって、一枚のホログラムフィルム１３ａのホログラム蒸着層で「ＬｃｄＰａｎｅｌ」に対応した多数の開口部１２を全て覆い、上記より小さいホログラムフィルム１３ｂで「ＮＩＴＴＯ」に対応した多数の開口部１２を全て覆う。そして、熱圧着により、ホログラムフィルム１３ａ、１３ｂの備えるホログラム蒸着層１５ａ、１５ｂがそれぞれ、ベースフィルム１７から剥離して、インク層１１の上にのる。従って、熱圧着後には、露出面が凹凸１９のホログラム蒸着層１５がインク層１１の上にのっている状態となる。
【００２０】
その後、ホログラム蒸着層１５の上に接着層９を公知の塗工方法により形成する。接着層９は感熱性樹脂、例えばアクリル系樹脂のような熱可塑性樹脂やポリイソプレンゴムのようなゴム系樹脂で構成されている。接着層９の厚みは、従来から転写箔の製造業界で慣用されているものである。
【００２１】
実際の作業では、ベースフィルム３の巻取り装置の繰り出し側から順に剥離層５の印刷機又は塗工機のロール、インク層１１の印刷機のロール、熱圧着装置のヘッド、接着剤９の塗工装置を配設しておく。そして、ベースフィルム３を巻取り装置から繰り出し、ベースフィルム３の上に剥離層５とインク層７を順に積層させ、その後、予め用意された所定の大きさのホログラム蒸着層１５を熱圧着し、更に、接着層９を設けた後に、巻き取る一連の流れ作業により連続的に部分蒸着転写箔１を製造できる。
【００２２】
図６は携帯電話２３を示す。この携帯電話は部分蒸着転写箔１を用いて、インモールド成形法により成形同時転写を行うことにより製造したものである。文字部分「ＬｃｄＰａｎｅｌ」と「ＮＩＴＴＯ」にはホログラム蒸着層１５のホログラム色が表出し、該文字部分の周囲の転写領域にはインク層１１のメタリック色が表出している。
【００２３】
以上、本発明の実施の形態を説明したが、本発明の具体的構成がこの実施の形態に限定されるものではなく、本発明の要旨から外れない範囲での設計変更などがあっても本発明に含まれる。
例えば、ベースフィルム、剥離層、インク層、蒸着層などの材料や施工方法は従来から転写箔の製造業界で使用されているものであれば、実施の形態で記載したものには限定されない。
【００２４】
インク層や蒸着層が感熱接着成分を含む場合には、接着層を必ずしも設ける必要はない。
また、文字部分に高い輝度の金属光沢を付与したい場合には、蒸着層を金や銀にすればよい。更に、高い輝度の金属光沢の蒸着層とホログラム色の蒸着層の２種類の層を併用することで、３種類の異なる装飾面を同時に有する転写箔を得ることができる。
転写はインモールドに限定されず、ホットスタンプなどでもよい。
【００２５】
【発明の効果】
本発明の部分蒸着転写箔によれば、一枚の転写箔に装飾層としてのインク層と蒸着層を同時に有しているので、一回の転写作業により、加飾作業が終了する。本発明の部分蒸着転写箔は、印刷した転写箔に従来から慣用されている蒸着フィルムの蒸着層を熱圧着することにより、一枚の転写箔としたものなので、特別な製造設備や材料を必要としない。
【図面の簡単な説明】
【図１】本発明の実施の形態に係る部分蒸着転写箔の表面図である。
【図２】図１の部分蒸着転写箔の裏面図である。
【図３】図１の部分蒸着転写箔の部分拡大断面図である。
【図４】図１の部分蒸着転写箔の製造方法を説明する図である。
【図５】図１の部分蒸着転写箔の製造方法を説明する図である。
【図６】図１の部分蒸着転写箔が転写された携帯電話の斜視図である。
【符号の説明】
１‥‥部分蒸着転写箔          ３‥‥ベースフィルム
５‥‥剥離層                  ７‥‥装飾層
９‥‥接着層                  １１‥‥インク層
１２‥‥開口部                １３‥‥ホログラムフィルム
１５‥‥ホログラム蒸着層      １７‥‥ベースフィルム
１９‥‥凹凸                  ２１‥‥熱圧着層
２３‥‥携帯電話
【図１】
2004351722.tif 000003
【図２】
2004351722.tif 000004
【図３】
2004351722.tif 000005
【図４】
2004351722.tif 000006
【図５】
2004351722.tif 000007
【図６】
2004351722.tif 000008